(57)【要約】【課題】ボードと天井との取合い部等にビスを打つ際にも邪魔になることなく、ボードの水平方向のビスのバラつきをなくすことができる携帯工具取付け治具を提供することを目的とする。【解決手段】ビス打ち機６に取付けられる位置あわせ治具１であって、基部３と可動部２で構成され、可動部２が、ビス打ち機６上面に直立する第１状態と、可動部２が、ビス打ち機６上面の水平方向または下方領域に位置する第２状態と、に可動可能であることを特徴とする位置あわせ治具１により解決される。【選択図】    図１
2010201544.tif 000002
【特許請求の範囲】
【請求項１】
工具に取付ける位置あわせ治具であって、
基部と可動部で構成され、
前記可動部が、前記工具上面に直立する第１状態と、
前記可動部が、前記工具上面の水平方向または下方領域に位置する第２状態と、
に可動可能であることを特徴とする位置あわせ治具。
【請求項２】
前記可動部は、略Ｕ字型であることを特徴とする請求項１記載の位置あわせ治具。
【請求項３】
前記可動部に摺動可能な目印が設けられていることを特徴とする請求項１及び請求項２記載の位置あわせ治具。
【発明の詳細な説明】
【技術分野】
【０００１】
本発明は、穴あけ、釘付け、若しくは釘打ちを行う工具に取付けて使用する位置あわせ治具に関する。
【背景技術】
【０００２】
従来から、内装材等を壁面に施工するにあたっては、ビス打ち機を用いることによって、釘やビスを打ち込んでいる。しかし、ビス打ちは、作業者の目測で行うため作業者によって施工精度にバラつきが生じたり、ビスピッチの精度が守られていなかった。
【０００３】
これに対して、図４に示すように、ビス打ち機２１の所定の台座２２を介して取付けられる伸縮式のロッド２３と、該ロッドの先端に直角に取付けられた定規体２４から構成される携帯工具用スケール２５を使用して、定規体２４を施工するボードに押し付けて、定規本体２６の目盛りが基準位置、すなわち先行して打ち込まれたビスの打ち込み位置のところでちょうど所望の間隔に相当する数値に一致するようにビス工具２１を保持し、ビスを打ち込むことにより、ビスピッチの精度を確保できる考案がなされている。
【先行技術文献】
【特許文献】
【０００４】
【特許文献１】特開平１０−２３２１０１号公報
【発明の概要】
【発明が解決しようとする課題】
【０００５】
しかし、上記考案では、ボードと天井との取合い部等にビスを打つ際には定規体２４が邪魔になり、ビスを打つことができなかった。また、ボードの鉛直方向のビスピッチの精度は確保できるが、水平方向の精度が確保されず、仕上がりの見栄えが悪いという問題があった。
【０００６】
本発明は、以上のような問題点に鑑み、ボードと天井との取合い付近にビスを打つ際にも邪魔になることなく、ボードの水平方向のビスのバラつきをなくすことができる工具取付け位置あわせ治具を提供することを目的とする。
【課題を解決するための手段】
【０００７】
上記の課題は、工具に取付ける位置あわせ治具であって、基部と可動部で構成され、前記可動部が、前記工具上面に直立する第１状態と、前記可動部が、前記工具上面の水平方向または下方領域に位置する第２状態と、に可動可能であることを特徴とする位置あわせ治具により解決される。
【０００８】
この構成によれば、基部と可動部で構成され、基部と可動部で構成され、前記可動部が、前記工具上面に直立する第１状態と、前記可動部が、前記工具上面の水平方向または下方領域に位置する第２状態と、に可動可能であるので、天井との取合い付近にビスを打つ際には、前記可動部を天井に接触しないように第２状態に可動させることで、可動部が邪魔になることなくビスや釘を打つことができる。ここで、前記工具上面の水平方向に位置するとは、前記工具の後部側、側面側のどの位置であってもよく、下方領域に位置するとは、工具上面の水平面より下方であればどの位置にあってもよい。
【０００９】
特に、前記可動部は、略Ｕ字型であることが好ましい。この場合、Ｕ字型になされているので、ビスや釘をＵ字型内に打つことにより、施工するボードの水平方向に対してもビスや釘のバラつきが少なく、仕上がりの見栄えが良くなる。
【００１０】
さらに、前記可動部に摺動可能な目印が設けられていることが好ましい。この場合、目印が摺動可能になされているので、目印の位置を調整することで、様々なピッチに対応することができ、施工するボードの鉛直方向の精度も確保される。
【発明の効果】
【００１１】
本発明は以上のとおりであるから、ボードと天井との取合い付近にビスを打つ際にも邪魔になることなく、水平方向のバラつきをなくし、また、鉛直方向のピッチの精度を確保することができる工具取付け治具を提供することができる。
【図面の簡単な説明】
【００１２】
【図１】本実施形態を示す図であり、図（イ）は全体を示す斜視図、図（ロ）は正面図、図（ハ）は側面図である
【図２】本実施形態を示す分解斜視図である。
【図３】本実施形態の使用例を示す側面図であり、図（イ）は天井との取合い付近にビスを打つ状態、図（ロ）は中間部にビスを打つ状態を示す。
【図４】従来技術を示す斜視図である。
【発明を実施するための形態】
【００１３】
次に、本発明の実施最良形態を図面に基づいて説明する。
【００１４】
図１（イ）〜（ハ）に示す、工具取付け治具１は、可動部２と工具であるビス打ち機６の上面に取付けられる基部３とで構成され、基部３はビス打ち機６に取付けられる取付け部４と、ガイド２と取付け部４とを連結する連結部５とからなっている。
【００１５】
可動部２は、図２に示すとおり、断面視円形の棒材をＵ字加工したガイド７の両端７ａ、７ｂに、断面視円形の棒材である横架材８が渡されて溶接されている。なお、横架材８の両端部にはネジ切りがなされている。
【００１６】
また、ガイド７の高さは３３０ｍｍであり、目印９が７ｂ側に３つ設けられている。目印９は、円管からなり、ガイド７を摺動可能とされ、様々なピッチに設定することができる。なお、本実施形態では、ビス打機６のドライバー芯から１５０ｍｍ、２００ｍｍ、３００ｍｍの位置に設けており、部位や場所によって、ビスピッチの基準値の違い、例えば、公共建築工事標準仕様書に記載されている天井を施工する際の基準値、端部であれば約１５０ｍｍ、中間部であれば約２００ｍｍや壁を施工する際の基準値、端部であれば約２００ｍｍ、中間部であれば約３００ｍｍという様々なピッチに対応することができる。
【００１７】
また、連結部５は、図１（ハ）に示すとおり、取付け部４を介して断面視円形の棒材である連結材１０が２本設けられ、連結材１０の先端部には、ガイド７の７ａ側にネジ切りされているナット１１が、７ｂ側にネジ切りされていないナット１２が溶接されており、ナット１２は蝶ナット１３により横架材８と締結することができる。
【００１８】
この構成によれば、ガイド７と連結部５は、ナット１１と横架材８の一方側を締結し、他方側をナット１２に挿通し、蝶ナット１３により締結することで連結できる。これにより、蝶ナット１３を緩めて横架材８を回動させるとガイド７を可動させることができ、所望の位置で蝶ナット１３を締め付けることにより、固定することができる。
【００１９】
よって、ガイド７は、直立状態からビス打ち機６の後部側に向かって、ビス打ち機６の水平方向に位置する状態まで自由に回動させることができ、蝶ナット１３により所望の位置に固定することができる。なお、直立状態から、ビス打ち機６の後部側に向かって、ビス打ち機６の上面まで回動できるようにしたが、直立状態からビス打ち機６の先端側に向かって、ビス打ち機６の上面下方領域まで可動できるようにしてもよい。
【００２０】
次に、壁面１４に石膏ボード１５を施工するにあたって、ビス打ち機６に工具取付け治具１を取付けた状態での使用例を説明する。図３（イ）〜（ロ）に示すように、工具取付け治具１が基部３の取付け部４をビス打ち機６の上面先端部に取付けられており、図３（イ）に示すように、石膏ボード１５と天井１６との取合い付近を施工する場合、ビス打ち機６の後部側に向かって、ガイド７をビス打ち機６上面の隣接する位置まで回動させて、ビス打ちを行う。
【００２１】
このように、ガイド７がビス打ち機６の上面に隣接する位置まで回動させられているので、天井１６に工具取付け治具１が邪魔になることなく、ビスを打つころができる。通常、壁面１４に石膏ボード１５を施工する際には、取合い部からビス打ちを行うので、取合い付近に打ち込んだビスを基準にガイド７を用いて、中間部及び下端部のビスピッチを合わせればよい。
【００２２】
また、図３（ロ）に示すとおり、壁面１４の中間部を施工する場合、ガイド７は連結材１０の先端で直立させて、図３（イ）で打たれた取合い付近のビスを基準として、中間部のビスピッチの基準値である約３００ｍｍ間隔になるように目印９をセットし、ビス打ちを行う。
【００２３】
これにより、石膏ボード１５の鉛直方向のビスピッチの精度を確保することができる。また、ガイド７内にビスを打ち込むことで、石膏ボード１５の水平方向に対してもバラつくことなくビス打ちが可能となり、仕上がりの見栄えを良好にすることができる。
【００２４】
以上に、本発明の実施形態を示したが、本発明はこれに限られるものではなく、発明思想を逸脱しない範囲で各種の変更が可能である。例えば、上記の実施形態では、横架材が回動することによりガイドが可動するようになされているが、ビス打ち機の上面下方にスライドできる機構でもよく、機構に限定はない。
【００２５】
また、上記実施形態では、ガイドを直立状態からビス打ち機の後部側に向かって、ビス打ち機６の水平方向に位置するまで回動できるようにしたが、直立状態からビス打ち機側面に向かって、ビス打ち機の水平方向に位置するまで回動できるようにしてもよい。
【００２６】
また、上記実施形態では、ビス打ち機に本発明の工具取付け治具を取り付けた場合について示したが、工具の種類に制限はなく、ビスピッチ管理する施工に用いる治具工具に使用することができる。
【符号の説明】
【００２７】
１・・・工具取付け治具
２・・・可動部材
３・・・基部
４・・・取り付け部
５・・・連結部
６・・・ビス打機
７・・・ガイド
８・・・横架材
９・・・目盛り
１０・・・棒材
１１、１２・・・ナット
１３・・・蝶ナット
１４・・・壁面
１５・・・石膏ボード
１６・・・天井
２１・・・ビス工具
２２・・・台座
２３・・・伸縮ロッド
２４・・・定規体
２５・・・携帯工具用スケール
２６・・・定規本体
【図１】
2010201544.tif 000003
【図２】
2010201544.tif 000004
【図３】
2010201544.tif 000005
【図４】
2010201544.tif 000006